(57)【要約】【課題】遺体の大小に応じた火葬が簡単に行える火葬用台車の提供。【解決手段】遺体Ｐを載置するテーブル４０と、このテーブル４０から遺体Ｐの肩甲骨に向けて突出又は没入するブロック４３と、このブロック４３をテーブル４０から出没させる出没駆動機構４４とを備える。出没駆動機構４４を操作してブロック４３を上昇させることで、遺体Ｐとテーブル４０との間に隙間を生じさせることができ、これにより、遺体Ｐの背中に熱が入ることになって焼きムラがなくなる。そして、火葬終了時にブロック４３をテーブル４０と同じ高さまで下降させることができるので、ブロック４３を撤去する手間が省ける。【選択図】図４
2012172916.tif 000002
【特許請求の範囲】
【請求項１】
火葬炉の内部に配置される火葬用台車であって、
被火葬物を載置するテーブルと、このテーブルから前記被火葬物の躯体に向けて突出又は没入するブロックと、このブロックを前記テーブルから出没させる出没駆動機構と、を備えたことを特徴とする火葬用台車。
【請求項２】
請求項１に記載された火葬用台車において、
前記被火葬物は遺体であり、前記ブロックは前記遺体の肩甲骨に相当する部位に設けられることを特徴とする火葬用台車。
【請求項３】
被火葬物を載置する火葬用台車が内部に配置される火葬炉であって、
前記火葬用台車に載置された被火葬物に対向配置されるヒータ装置と、このヒータ装置を前記被火葬物に対して進退させる進退駆動機構とを備え、
前記ヒータ装置は、ケーシングと、このケーシングに取り付けられ前記火葬用台車に載置される被火葬物に沿って並べて配置される複数の電気ヒータと、これらの電気ヒータにそれぞれ給電する給電装置とを有することを特徴とする火葬炉。
【請求項４】
請求項２に記載された火葬用台車が内部に配置される火葬炉と、この火葬炉で発生したガスを電気発熱体により高温で維持された通路を通過させることで分解する高熱分解室と、この高熱分解室で分解した排気ガスを吸引するブロアと、このブロアで吸引された排気ガスから有害物質を吸着するとともに排気ガスを冷却する吸着材をそれぞれ有する複数の吸着筒とを有する吸着装置とを備えたことを特徴とする火葬設備。
【請求項５】
請求項３に記載された火葬炉と、この火葬炉で発生したガスを電気発熱体により高温で維持された通路を通過させることで分解する高熱分解室と、この高熱分解室で分解した排気ガスを吸引するブロアと、このブロアで吸引された排気ガスから有害物質を吸着するとともに排気ガスを冷却する吸着材をそれぞれ有する複数の吸着筒とを有する吸着装置とを備えたことを特徴とする火葬設備。
【発明の詳細な説明】
【技術分野】
【０００１】
本発明は、遺体、動物の死骸等の被火葬物を載置する火葬用台車、この火葬用台車が内部に配置される火葬炉、この火葬炉を備えた火葬設備に関する。
【背景技術】
【０００２】
遺体や動物の死骸を火葬するための火葬設備が知られている。この火葬設備として、複数のバーナが設けられた主燃焼炉と、この主燃焼炉で発生したダイオキシン等の有害ガスを燃焼させる二次燃焼室と、この二次燃焼室で燃焼したガスを水冷する冷却室とを備えた火葬炉がある（特許文献１）。この特許文献１の主燃焼炉では、複数のバーナがそれぞれ遺体に向けて取り付けられており、かつ、遺体の頭から足まで同じ熱量で焼くようにされている。
そして、火葬炉に運び込まれる火葬用台車として、台車本体と被火葬物との間に配置される硬質セラミックのブロックとを備え、この台車本体と被火葬物との間に形成された空間に燃焼ガスを通すことで、被火葬物を確実かつ速やかに燃焼させるものがある（特許文献２）。
【先行技術文献】
【特許文献】
【０００３】
【特許文献１】特開２００２−７１１１１号公報
【特許文献２】特開平７−１１９９３８号公報
【発明の概要】
【発明が解決しようとする課題】
【０００４】
しかし、特許文献１で示される従来例では、バーナ等の設置位置が固定されているため、大きな遺体と小さな遺体とでは、焼ムラや焼きすぎが生じることがある。特に、バーナは、その出力調節が難しい。
そして、特許文献２で示される従来例では、遺体の大小に応じて台車本体の上に配置するブロックの数や配置状態を変えなければならず手間がかかる。さらに、火葬後、ブロックが遺骨とともに残ってしまい、見た目がよくない。
【０００５】
本発明の目的は、遺体の大小に応じた火葬が簡単に行える火葬用台車、火葬炉及び火葬設備を提供することにある。
【課題を解決するための手段】
【０００６】
本発明の火葬用台車は、火葬炉の内部に配置される火葬用台車であって、被火葬物を載置するテーブルと、このテーブルから前記被火葬物の躯体に向けて突出又は没入するブロックと、このブロックを前記テーブルから出没させる出没駆動機構と、を備えたことを特徴とする。
この構成の本発明では、火葬時にブロックを上昇させて被火葬物とテーブルとの間に隙間を生じさせるので、被火葬物の火葬が確実に行えることになる。火葬終了時にはブロックをテーブルと同じ高さまで下降させる。そのため、ブロックを撤去する手間が省ける。骨を拾う際には、ブロックがないので、見た目がよい。
【０００７】
本発明では、前記被火葬物は遺体であり、前記ブロックは前記遺体の肩甲骨に相当する部位に設けられる構成が好ましい。
この構成の本発明では、遺体の肩甲骨をブロックが押し上げることにより、遺体の背中部分とテーブルとの間に隙間ができることになる。そのため、火葬しにくい箇所に火が確実に入ることになり、内臓等の焼きムラが少なくなる。
【０００８】
本発明の火葬炉は、被火葬物を載置する火葬用台車が内部に配置される火葬炉であって、前記火葬用台車に載置された被火葬物に対向配置されるヒータ装置と、このヒータ装置を前記被火葬物に対して進退させる進退駆動機構とを備え、前記ヒータ装置は、ケーシングと、このケーシングに取り付けられ前記火葬用台車に載置される被火葬物に沿って並べて配置される複数の電気ヒータと、これらの電気ヒータにそれぞれ給電する給電装置とを有することを特徴とする。
この構成の本発明では、大きな被火葬物の場合では、進退駆動機構によって、ヒータ装置を被火葬物に近づけ、かつ、複数の電気ヒータの多くに給電する。特に、加熱が必要な部位に近接する電気ヒータの給電量を多くすることで、大きな被火葬物をムラなく火葬することが可能となる。これに対して、小さな被火葬物の場合では、進退駆動機構によって、ヒータ装置を被火葬物から遠ざけ、かつ、複数の電気ヒータのうち一部に給電する。これにより、小さな被火葬物をムラなく火葬することが可能となる。なお、本発明では、ヒータ装置は被火葬物に対して上方に配置されるものでもよく、左右方向（水平方向）に配置されるものでもよく、上方と左右方向との双方に配置されるものでもよい。
【０００９】
本発明の火葬設備は、前述の火葬用台車が内部に配置される火葬炉と、この火葬炉で発生したガスを電気発熱体により高温で維持された通路を通過させることで分解する高熱分解室と、この高熱分解室で分解した排気ガスを吸引するブロアと、このブロアで吸引された排気ガスから有害物質を吸着するとともに排気ガスを冷却する吸着材をそれぞれ有する複数の吸着筒とを有する吸着装置とを備えたことを特徴とする。
この構成の本発明では、火葬に際して生じるダイオキシンなどの有害物質を簡易な方法で除去することができる。
【００１０】
本発明の火葬設備は、前述の火葬炉と、この火葬炉で発生したガスを電気発熱体により高温で維持された通路を通過させることで分解する高熱分解室と、この高熱分解室で分解した排気ガスを吸引するブロアと、このブロアで吸引された排気ガスから有害物質を吸着するとともに排気ガスを冷却する吸着材をそれぞれ有する複数の吸着筒とを有する吸着装置とを備えたことを特徴とする。
この構成の本発明では、火葬に際して生じるダイオキシンなどの有害物質を簡易な方法で除去することができる。
【図面の簡単な説明】
【００１１】
【図１】本発明の第１実施形態にかかる火葬設備の一部を破断した左側面図。
【図２】前記火葬設備の一部を破断した右側面図。
【図３】火葬用台車の平面図。
【図４】図３のＩＶ−ＩＶ線に沿う矢視断面図。
【図５】図３のＶ−Ｖ線に沿う矢視断面図。
【図６】（Ａ）ブロックが収納されたテーブルの断面図、（Ｂ）ブロックの一部を破断した斜視図。
【図７】本発明の第２実施形態にかかる火葬設備の一部を破断した左側面図。
【図８】前記火葬設備の一部を破断した右側面図。
【図９】本発明の第３実施形態にかかる火葬用台車を示す図４に相当する図。
【発明を実施するための形態】
【００１２】
以下に、本発明の実施形態を図面に基づいて説明する。ここで、各実施形態の説明において、同一又は同様の構成要素は同一符号を付して説明を省略もしくは簡略にする。
第１実施形態が図１から図６に示されている。
図１には第１実施形態にかかる火葬設備を示す一部を破断した左側面図が示され、図２には、その右側面図が示されている。
図１及び図２において、火葬設備は、火葬炉１と、この火葬炉１で生じた排ガスを高温で加熱する電気加熱装置２と、この電気加熱装置２から排ガスを吸引しこの排ガスに含まれている有害物質を吸着する吸着装置３と、これらの装置を制御する図示しない制御装置とを備えている。火葬炉１の内部には火葬用台車４が配置されている。この火葬用台車４の平面部には棺おけ１０に収められた遺体Ｐが載置される。
【００１３】
火葬炉１は、火葬炉本体１１と、この火葬炉本体１１の内部に設けられ遺体Ｐが納められた棺おけ１０の正面（上面）に対向配置されたヒータ装置１２と、このヒータ装置１２を遺体Ｐに対して進退（昇降）させる進退駆動機構１３とを備えている。
火葬炉本体１１は、耐熱性材料から形成されており、その正面には、火葬用台車４を内部に搬入搬出するための扉１１０が設けられている。
ヒータ装置１２は、ケーシング１２０と、このケーシング１２０に取り付けられ火葬用台車４に載置される遺体Ｐの頭から足に沿って並べて配置される複数（図では６本）の電気ヒータ１２１と、これらの電気ヒータ１２１にそれぞれ給電する給電装置（図示せず）とを有し、火葬炉本体１１の内部を６００℃から７００℃程度まで加熱する。
【００１４】
ケーシング１２０は、遺体Ｐに対向した下部が開口した箱状に形成されており、その内部には熱を遺体Ｐに向けて伝達するための反射板１２２が設けられている。
複数本の電気ヒータ１２１は、それぞれが棒状のカーボンヒータであって、ケーシング１２０の側壁に遺体Ｐが納められた棺おけ１０と直交する方向に架け渡されている。これらの電気ヒータ１２１は、それぞれ供給される電力が制御されている。なお、図では、電気ヒータ１２１が等間隔に配置されているが、本実施形態では、焼きムラが生じやすい部位、例えば、頭部や胸部の上部に配置される電気ヒータ１２１の間隔を小さくするものでもよい。
【００１５】
進退駆動機構１３は、ケーシング１２０の上部に連結されるとともに火葬炉本体１１の天井部分を貫通して設けられた複数本のロッド１３１と、これらのロッド１３１を昇降させるとともに火葬炉本体１１の上部に設けられた昇降機構１３２とを備えている。
昇降機構１３２は、ロッド１３１を昇降するための手段であれば、その具体的な手段を問うものではなく、例えば、ロッド１３１の側面に形成されたギア部に噛合する歯車機構と、この歯車機構を駆動するモーターとを備えた構成等を採用することができる。このモーターを作動することで、ロッド１３１の下端に設けられたヒータ装置１２が遺体Ｐに向けて前進し（図１の想像線参照）、あるいは、遺体Ｐから後退する（図１の実線参照）。
ロッド１３１は耐熱金属から構成されており、ロッド１３１と火葬炉本体１１の天井部分とには火葬炉本体１１の内部の熱が逃げないように耐熱性シール材が設けられている。
昇降機構１３２及び電気ヒータ１２１は前述の制御装置で制御される。
【００１６】
電気加熱装置２は、火葬炉本体１１の背面から外方にかけて屈曲するとともに下方に垂下して折り曲げながら設けた煙導部２０と、火葬した際に生じる有害物質を含んだ排ガスを加熱する加熱装置本体２１とを備えた高熱分解室である。
煙導部２０は、有害ガスを含んだ排ガスを火葬炉本体１１から加熱装置本体２１まで誘導するものであり、第１煙導２０１と、この第１煙導２０１から垂下して設けられた連結煙導２０Ａと、この連結煙導２０Ａの下部に扇状に設けた第２煙導２０２と、この第２煙導２０２から加熱装置本体２１まで傾斜して設けられた第３煙導２０３とを備えている。この第３煙導２０３は加熱装置本体２１の下部に接続する連結管２０Ｂを有する。
【００１７】
加熱装置本体２１は、鉄製の上蓋２１１と、この上蓋２１１の下部に密着し煙導部２０から送られた排ガスを高温に加熱する鉄製の容器２１２と、この容器２１２を一定の高さに保持する鉄製の取付台２１３とを備え、容器２１２の側面には棒状の電気発熱体２２が複数本（図では３本）設けられている。
これらの電気発熱体２２は、容器２１２の側面に対して水平方向に差込むことができる。電気発熱体２２は、高純度、再結晶ＳｉＣよりなる細長い円柱状の炭化ケイ素発熱体であり、単位面積当たりの発熱量が極めて大きい。電気発熱体２２の表面温度は１１００℃以上であり、火葬炉本体１１から流れ込んだ排気ガスを全て電気発熱体２２の表面に吸着するとともに高温でダイオキシン等の有害物質を含んだ排気ガスを燃焼してある程度無害化するためのものである。
【００１８】
吸着装置３は、上流から下流にかけて配置されそれぞれ鉄製の第１吸着筒３１、第２吸着筒３２、第３吸着筒３３及び第４吸着筒３４を備える。
第１吸着筒３１及び第２吸着筒３２の内部には吸着材３０としてゼオライト等が設けられている。吸着材３０は図示しないケースに収納された状態で、第１吸着筒３１及び第２吸着筒３２の内部に設けられている。
第３吸着筒３３は、略Ｔ字状のカバー３３Ａと、筒の中央に設けた導管３３Ｂとを備え、導管３３Ｂに第２吸着筒３２の導管３２Ａを連結するとともに、上面に煙を排出するための第１ファン３５が取り付けられている。この第１ファン３５は、内部に小型のファン本体（図示せず）が内蔵され、側面にファンを回転するためのモーター３５Ａが取り付けられたブロアである。第１ファン３５の上面と下面は、それぞれ開口されている。
【００１９】
第４吸着筒３４は、筒の上面に設けられた略Ｔ字状のカバー３４Ａと、筒の上面に設けられた開口部３４Ｂと、この開口部３４Ｂに向かって無害化した煙を外に排出するブロアとしてのファン３５Ｃと、このファン３５Ｃの下方に取り付けられ排ガスの温度を下げ、かつ、排ガスに含まれる物質を完全に吸着除去するため吸着材３５Ｄが設けられた取付部材３５Ｅとを有する。
吸着材３５Ｄはゼオライトからなる。第４吸着筒３４を通過した煙は無色透明、かつ無害の排ガスとなり、ファン３５Ｃにより大気中に強制的に排出される。排出された煙の温度は２０℃前後であるが、この温度は限定されるものではない。
【００２０】
図３から図６には火葬用台車４の具体的な構造が示されている。図３は火葬用台車４の平面が示され、図４は図３のＩＶ−ＩＶ線に沿う矢視断面が示され、図５は図３のＶ−Ｖ線に沿う矢視断面が示されている。
図３から図５において、火葬用台車４は、ステンレスからなり上面に平面矩形状のテーブル４０が形成された車体４１と、この車体４１の下部に設けられたキャスター４２と、車体４１に設けられた角柱状のブロック４３と、このブロック４３を出没させる出没駆動機構４４とを備える。
【００２１】
車体４１は箱状に形成されており、その上部に形成されたテーブル４０には火葬後に残る遺骨がテーブル４０の外縁から落下することを防止するための平面矩形状のリブ４０１が形成されている。
テーブル４０の中央部分にはブロック４３が収納される断面矩形状の凹部４０Ａがテーブル４０の長手方向に沿って形成されている。凹部４０Ａは、ブロック４３の高さ寸法と同じ深さを有し、かつ、ブロック４３の長さ寸法よりやや長い長さ寸法を有する。
【００２２】
本実施形態では、凹部４０Ａとブロック４３との取付位置は大人の遺体Ｐを基準とする。つまり、標準的な体型を有する大人の遺体Ｐを仮定し、この遺体Ｐの両方の肩甲骨に相当する部位にブロック４３が２列設けられている。これらのブロック４３は、その一端部が遺体Ｐの腰近傍になるようにし、その他端が肩近傍になるようにする。
ブロック４３の他端部はテーブル４０にヒンジ４０Ｂを介して回動自在に支持されている。このヒンジ４０Ｂは、テーブル４０の下面に固定されたブラケット４０Ｃと、ブロック４３の下面に固定されたブラケット４３Ａと、これらのブラケット４０Ｃ，４３Ａを連結する連結軸４３Ｂとを備え、この連結軸４３Ｂに対してブラケット４３Ａが回動自在とされる構成である。
そのため、ブロック４３の一端側は、他端部を回動中心としてテーブル４０の平面から出没可能とされる。
【００２３】
出没駆動機構４４は、ブロック４３の下面に固定され下面がカム面４５Ａとされた支持部材４５と、この支持部材４５のカム面４５Ａと当接されるカム部材４６と、このカム部材４６に連結される回動軸４７と、この回動軸４７の端部に連結されたハンドル４８とを備え、ハンドル４８の回動に伴って、ブロック４３がヒンジ４０Ｂを回動支点として回動される。支持部材４５とカム部材４６とはブロック４３の数に合わせて２個がそれぞれ設けられ、支持部材４５は連結部材４５Ｂで互いに連結されている。なお、本実施形態では、上昇させたブロック４３に棺おけ１０を載せた場合に、その重さによって、カム部材４６が逆方向に回転しないために、図示しないストッパが設けられている。このストッパとして、ラチェット機構を例示できる。また、ブロック４３の傾斜に対応して支持部材４５をカム部材４６に追従させるため、ブロック４３に対して支持部材４５の上端部を回動自在に支持する構成としてもよい。
【００２４】
ブロック４３と支持部材４５との連結状態が図６に示されている。図６（Ａ）はブロック４３が収納された状態の断面図であり、図６（Ｂ）はブロック４３及び支持部材４５の一部を破断した斜視図である。
図６において、支持部材４５は、耐熱性金属から棒状に形成されている。テーブル４０の凹部４０Ａの底部には支持部材４５が挿通する孔４０Ｄが形成されており、この孔４０Ｄと支持部材４５との間には隙間がある。この隙間は火葬時にブロック４３が熱膨張することで閉塞され、テーブル４０に溜まった遺骨のかけらが隙間から落ちないようになっている。
【００２５】
図３から図５に戻り、カム部材４６は、その外面に支持部材４５のカム面４５Ａと当接するカム面４６Ａが形成された円板部材であり、耐熱性金属から形成されている。
回動軸４７は、車体４１の内部においてテーブル４０の長手方向と直交する方向に配置され、その両端部が車体４１の側壁に図示しない軸受を介して回動自在に取り付けられている。回動軸４７の一端部は車体４１の外側面から突出しているとともにハンドル４８と連結されている。ハンドル４８は回動軸４７に対して着脱自在とされる。
【００２６】
次に、本発明の第１実施形態にかかる火葬方法について説明する。
［火葬準備］
遺体Ｐを棺おけ１０に収めた状態で、火葬用台車４に載せる。そして、ハンドル４８を回動軸４７に取り付け、このハンドル４８でカム部材４６を回動させてブロック４３を上昇させる。これにより、遺体Ｐは棺おけ１０ごと背中を少し起こした状態となる。その後、ハンドル４８を回動軸４７から取り外す。
【００２７】
［火葬］
制御装置によって、火葬炉１のヒータ装置１２及び進退駆動機構１３と、電気加熱装置２と、吸着装置３とを作動させる。
まず、進退駆動機構１３を作動させて、遺体Ｐの大きさに応じて電気ヒータ１２１の棺おけ１０に対する位置を設定する。遺体Ｐが体の大きな大人であれば、電気ヒータ１２１を棺おけ１０に近づけ、体の小さな子供であれば、電気ヒータ１２１を棺おけ１０から離す位置にする。さらに、ヒータ装置１２を作動させて、複数の電気ヒータ１２１のうち給電するものの位置並びに給電量を設定する。遺体Ｐが大きな大人であれば、頭部から足元まで加熱されるように、全ての電気ヒータ１２１に給電する。遺体Ｐが小さな子供であれば、棺おけＰの位置に合わせて一部の電気ヒータ１２１に給電する。
さらに、効率的に火葬を行うために、火葬の時間経過に伴って電気ヒータ１２１への給電を制御する。つまり、火葬開始直後では、遺体Ｐの全身を加熱するように、多くの電気ヒータ１２１、例えば、大人の遺体Ｐであれば、全ての電気ヒータ１２１に給電し、所定時間が経過したら、十分に火葬が行われていない部位、胸部や頭部の直上に位置する電気ヒータ１２１に給電し、十分に火葬が行われている部位、足下の直上に位置する電気ジータ１２１への給電を中止する。これにより、無駄な電力消費をなくすことができるとともに、火葬のし過ぎによる骨の消失を防ぐことができる。
電気ヒータ１２１に給電されることで、火葬が行われる。火葬に際して、まず、棺おけ１０が燃焼し、遺体Ｐが残るが、この遺体Ｐの肩甲骨はブロック４３に支持される。そのため、遺体Ｐの背中に熱がまわることになり、火葬しにくい部分の内蔵に熱が伝わり、焼きムラがなくなる。
【００２８】
［排ガス処理］
火葬に伴って生じる排ガスは、電気加熱装置２の煙導部２０を通過した後、加熱装置本体２１に送られる。電気加熱装置２の煙導部２０を通過する状態では、排ガスの温度は低下するが、この排ガスが加熱装置本体２１に送られると、電気発熱体２２によって１１００℃程度まで上昇する。すると、棺おけ１０に収められている塩化ビニール等からなる人形、その他のものが燃焼し、排気ガスにダイオキシン等の有害物質が含まれているとしても、この排ガスに含まれる有害物質は電気発熱体２２の表面に吸着されるとともに燃焼によってある程度、無害化される。
電気加熱装置２から送られる排ガスは吸着装置３に送られ、吸着材３０によってダイオキシン等の有害物質が吸着されて完全に除去される。この有害物質が除去された排気ガスは２０℃程度まで降温されて外部に排出される。
［火葬終了］
火葬が終了したら、火葬用台車４を火葬炉１から出し、ハンドル４８を回動軸４７に連結する。ハンドル４８を回してブロック４３を下降させてブロック４３の上面をテーブル４０の上面と一致させる。その後、通常の処理を行う。
【００２９】
従って、第１実施形態では、次の作用効果を奏することができる。
（１）火葬用台車４は、遺体Ｐを載置するテーブル４０と、このテーブル４０から遺体Ｐの肩甲骨に向けて突出又は没入するブロック４３と、このブロック４３をテーブル４０から出没させる出没駆動機構４４とを備えて火葬用台車４を構成した。出没駆動機構４４を操作してブロック４３を上昇させることで、遺体Ｐとテーブル４０との間に隙間を生じさせることができ、これにより、遺体Ｐの背中に熱が入ることになって焼きムラがなくなり、火葬が確実に行えることになる。そして、火葬終了時にブロック４３をテーブル４０と同じ高さまで下降させることができるので、ブロック４３を撤去する手間が省ける。
【００３０】
（２）ブロック４３は遺体Ｐの肩甲骨に相当する部位に設けられるから、遺体Ｐの肩甲骨をブロック４３が押し上げることにより、遺体Ｐの背中部分とテーブルとの間に隙間が確実にできることになり、特に、焼きムラの多い内臓等の部位を加熱することができる。
【００３１】
（３）火葬炉１は、火葬用台車４に載置された遺体Ｐに対向配置され遺体Ｐに沿って並べて配置される複数の電気ヒータ１２１を有するヒータ装置１２と、このヒータ装置１２を遺体Ｐに対して進退させる進退駆動機構１３とを備えて構成されるので、遺体Ｐの大小に伴って、電気ヒータ１２１を遺体Ｐに対して近接配置又は離隔配置し、かつ、給電する電気ヒータ１２１を制御することで、遺体Ｐの大きさに応じた火葬を行うことができる。
【００３２】
（４）火葬設備を、火葬炉１と、この火葬炉１で発生したガスを電気発熱体２２により高温で維持された通路を通過させることで分解する電気加熱装置２と、この電気加熱装置２で分解した排気ガスを吸引する第１ファン３５及びファン３５Ｃと、これらの第１ファン３５及びファン３５Ｃで吸引された排気ガスから有害物質を吸着するとともに排気ガスを冷却する吸着材３０をそれぞれ有する第１から第４の吸着筒３１〜３４とを有する吸着装置３とを備えて構成した。そのため、火葬に際して生じるダイオキシンなどの有害物質を簡易な方法で除去することができる。
【００３３】
（５）進退駆動機構１３は、ケーシング１２０の上部に連結されるとともに耐熱性材料からなる火葬炉本体１１の天井部分を貫通して設けられた複数本のロッド１３１と、これらのロッド１３１を昇降させるとともに火葬炉本体１１の上部に設けられた昇降機構１３２とを備えている。つまり、進退駆動機構１３の機構部分が集中する昇降機構１３２を火葬炉本体１１の外部に配置したので、この昇降機構１３２が火葬炉本体１１の温度の高い内部の影響を受けることが少なくなり、装置の駆動がスムーズに行えるだけでなく、メンテナンスも容易に行うことができる。
【００３４】
（６）出没駆動機構４４は、ブロック４３の下面に設けられた支持部材４５と、この支持部材４５のカム面４５Ａと当接されるカム部材４６と、このカム部材４６に連結される回動軸４７と、この回動軸４７の端部に連結されたハンドル４８とを備え、ハンドル４８の回動に伴って、ブロック４３がテーブル４０に対して出没するという簡易な構成を採用した。従って、高温下の火葬炉本体１１の内部に火葬用台車４を搬入しても、故障することが少ない。
【００３５】
（７）支持部材４５とカム部材４６とはブロック４３の数に合わせて２個がそれぞれ設けられ、支持部材４５は連結部材４５Ｂで互いに連結されているので、１つの回動軸４７の回動に駆動して２つのブロック４３が同期して昇降することになる。そのため、ブロック４３の昇降に伴って棺おけ１０が傾くことがない。
（８）ブロック４３の一端部がヒンジ４０Ｂを介して回動自在にテーブル４０に支持されているので、１つのブロック４４に対して１つの出没駆動機構４４を設けるだけでよいので、装置の構造が簡単になる。
【００３６】
次に、本発明の第２実施形態を図７及び図８に基づいて説明する。第２実施形態では、火葬炉の構成が第１実施形態と異なるもので、他の構成は第１実施形態と同じである。
図７は第２実施形態にかかる火葬設備の概略構成を示すもので、図１に相当する図であり、図８は図２に相当する図である。
【００３７】
図７及び図８に示される通り、火葬設備は、火葬炉５、前記電気加熱装置２、吸着装置３及び火葬用台車４から構成されている。
火葬炉５は、火葬炉本体１１と、この火葬炉本体１１の内部に設けられ遺体Ｐの頭部に向けて炎を照射するバーナ５２とを備えている。
バーナ５２は、火葬炉本体１１の側壁に取り付けられており、その先端部５２Ａが火葬炉本体１１の内部に露出され、その基端部５２Ｂが火葬炉本体１１の外部に露出されている。この基端部５２Ｂには図示しないタンクから燃料が供給される。
バーナ５２は図示しない制御装置からの指令を受けて作動する。なお、図では、バーナ５２が１つのみ図示されているが、本実施形態では、バーナ５２の数は限定されるものではなく、例えば、火葬炉本体１１の天井部分に１つあるいは２つ以上のバーナを設けるものであってもよい。
【００３８】
次に、本発明の第２実施形態にかかる火葬方法は第１実施形態にかかる火葬方法と同じであるが、バーナ５２にて火葬を行う点で相違する。
つまり、第２実施形態では、制御装置によって、火葬炉１のバーナ５２を作動させる。
すると、バーナ５２から照射される炎によって、棺おけ１０が燃焼し、遺体Ｐが残るが、この遺体Ｐの肩甲骨はブロック４３に支持されるため、遺体Ｐの背中に炎が回り込むことになる。
火葬に伴って生じる排ガスは、第１実施形態と同様に処理され、火葬後の処理も第１実施形態と同様に行われる。
【００３９】
従って、第２実施形態では、第１実施形態の（１）（２）（６）〜（８）までの作用効果の他、次の作用効果を奏することができる。
（９）火葬炉本体１１の内部を加熱する手段をバーナ５２としたので、第１実施形態のヒータ装置１２及び進退駆動機構１３に比べて、ヒータ装置の構造を簡易なものにできる。
【００４０】
次に、本発明の第３実施形態を図９に基づいて説明する。第３実施形態は、火葬用台車の構成が第１実施形態と異なるもので、他の構成は第１実施形態と同じである。
図９は第３実施形態にかかる火葬用台車の概略構成を示す。
図９において、火葬用台車６は、テーブル４０が形成された車体４１と、この車体４１の下部に設けられたキャスター４２と、車体４１に設けられた角柱状のブロック６３と、このブロック６３を出没させる出没駆動機構４４とを備える。
第１実施形態及び第２実施形態では、ブロック４３が遺体Ｐの肩甲骨に相当する部分にそれぞれ１列につき１本設けられているのに対して、本実施形態では、１列につき複数本（図では３本）設けられている点で相違する。
つまり、第３実施形態では、テーブルの中央部分には３本のブロック６３が収納される断面矩形状の凹部４０Ａがテーブル４０の長手方向に沿ってそれぞれ形成されている。凹部４０Ａは、ブロック６３の高さ寸法と同じ深さを有し、かつ、ブロック６３の長さ寸法よりやや長い長さ寸法を有する。
【００４１】
１列に設けられた３本のブロック６３は、それぞれ出没駆動機構４４に連結されており、これらの出没駆動機構４４は、ブロック６３の下面中央部に固定され下面がカム面４５Ａとされた支持部材４５と、この支持部材４５のカム面４５Ａと当接されるカム部材４６と、このカム部材４６に連結される回動軸４７と、この回動軸４７の端部に連結されたハンドル４８とを備え、ハンドル４８の回動に伴って、ブロック６３がテーブル４０に対して突出又は没入する構成である。なお、本実施形態でも、カム部材４６が逆方向に回転しないためのストッパが設けられている。
【００４２】
次に、本発明の第３実施形態にかかる火葬方法について説明する。第３実施形態にかかる火葬方法は第１実施形態にかかる火葬方法と同じであるが、火葬準備が第１実施形態と相違する。
まず、遺体Ｐを棺おけ１０に収めた状態で、火葬用台車４に載せる。そして、遺体Ｐの大きさに応じて上昇させるブロック６３を選択する。例えば、遺体Ｐが大人である場合には、１列に配置される３本のブロック６３を全て上昇させるが、遺体Ｐが子供である場合には、肩甲骨に相当する部位の１本又は２本のブロック６３を上昇させる。
ブロック６３を上昇させるため、ハンドル４８を回動軸４７に取り付け、このハンドル４８でカム部材４６を回動させる。これにより、遺体Ｐは棺おけ１０ごとテーブル４０から離反された状態となる。その後、ハンドル４８を回動軸４７から取り外す。
【００４３】
従って、第３実施形態では、第１実施形態の（１）〜（７）と同様の作用効果を奏することができる他、次の作用効果を奏することができる。
（１０）１列に複数本のブロック６３をテーブル４０に設け、これらのブロック６３を出没駆動機構４４にそれぞれ連結したから、遺体Ｐの大きさに応じてブロック６３を昇降させることができ、遺体Ｐに応じた火葬を実施することができる。
【００４４】
なお、本発明は前述の実施形態に限定されるものではなく、本発明の目的及び効果を達成できる範囲内での変形や改良が、本発明の内容に含まれるものであることはいうまでもない。
例えば、第１実施形態において用いられる火葬用台車４に、ブロック４３を省略し、平らなテーブルを有する従来の台車としてもよい。
【００４５】
また、火葬対象は人間の遺体Ｐに限定されず、ペット、その他の動物の遺骸としてもよい。動物の遺骸の場合には、背骨等の躯体に向けてブロックを出没することになる。
さらに、本発明では、必ずしも、火葬炉本体１１で発生したガスを、高熱分解室、ブロア及び吸着装置で処理することを要しない。
【００４６】
また、前記各実施形態では、出没駆動機構４４を、カム機構から構成したが、本発明では、回動軸４７を耐熱チェーンや耐熱ベルトで回動させる構成としてもよい。
さらに、第１実施形態では、遺体Ｐが納められた棺おけ１０の正面（上面）にヒータ装置１２が対向配置されたが、本発明では、ヒータ装置１２は棺おけ１０に対して対向配置されていれば、その向きが制限されるものではなく、例えば、棺おけ１０に対して左右方向（水平方向）に配置されるものでもよい。棺おけ１０の水平方向にヒータ装置１２が配置される場合、ヒータ装置１２は、棺おけ１０を挟んで両側に設けられるものでもよく、あるいは、片側にのみ配置されるものでもよい。さらに、左右方向と上方向とにそれぞれヒータ装置１２が対向配置される構成としてもよい。
【００４７】
また、第１実施形態では、ヒータ装置１２を構成する電気ヒータ１２１を棒状に形成されたものとしたが、本発明では、電気ヒータ１２１の形状は限定されるものではなく、例えば、U字状に形成されたもの、Ｓ字状に形成されたもの、さらには、蛇行したものでもよい。Ｕ字状やＳ字状等に形成されたものを用いれば、効率的な加熱を行うことができる。
そして、電気ヒータ１２１の数は複数本でなく１本でもよい。
【産業上の利用可能性】
【００４８】
本発明は、遺体や動物の遺骸の火葬に利用することができる。
【符号の説明】
【００４９】
１，５…火葬炉、２…電気加熱装置、３…吸着装置、４，６…火葬用台車、１１…火葬炉本体、３５…第１ファン(ブロア)、３５Ｃ…ファン(ブロア)、１２…ヒータ装置、１３…進退駆動機構、３０…吸着材、４０…テーブル、４０Ａ…凹部、４３，６３…ブロック、４７…回動軸、４８…ハンドル、５２…バーナ、１２０…ケーシング、１２１…電気ヒータ、１３１…ロッド、１３２…昇降機構
【図１】
2012172916.tif 000003
【図２】
2012172916.tif 000004
【図３】
2012172916.tif 000005
【図４】
2012172916.tif 000006
【図５】
2012172916.tif 000007
【図６】
2012172916.tif 000008
【図７】
2012172916.tif 000009
【図８】
2012172916.tif 000010
【図９】
2012172916.tif 000011